(57)【要約】【課題】足場用パイプを組み立てる場合における足場用パイプの向きに方向性を無くすることにより、足場の組み立て作業を容易にすることができる足場用パイプを提供すること。【解決手段】足場用パイプ１は、管状であり、長手方向の両端に接続突部４を備える本体部２と、本体部２の長手方向に沿って一定間隔で側方に突出して本体部２に設けられ、被取付部材を係合可能にする複数の金具３と、を有し、本体部２の長手方向の一方の端部と、この一方の端部に最も近い金具３と、の距離ｒ２は、本体部２の長手方向の他方の端部と、この他方の端部に最も近い金具３と、の距離ｒ３と同一である。【選択図】図１
2016029232.tif 000002
【特許請求の範囲】
【請求項１】
管状の本体部と、
前記本体部の長手方向に沿って一定間隔で側方に突出して前記本体部に設けられ、被取付部材を係合可能にする複数の金具と、
を有し、
前記本体部の長手方向の一方の端部と、前記一方の端部に最も近い前記金具と、の距離は、前記本体部の長手方向の他方の端部と、前記他方の端部に最も近い前記金具と、の距離と同一である、
ことを特徴とする足場用パイプ。
【請求項２】
前記本体部は、
前記長手方向における異なる長さ毎に複数の種類が存在する、
ことを特徴とする請求項１記載の足場用パイプ。
【請求項３】
前記本体部は、
前記一方の端部と前記一方の端部に最も近い前記金具との間、又は前記他方の端部と前記他方の端部に最も近い前記金具との間に、他の前記足場用パイプと接続するための接続部を有し、
前記接続部は、
隣り合う２つの前記金具の間の第１の離間距離と、前記接続部に最も近い前記金具と、他の前記足場用パイプにおける前記接続部に最も近い前記金具と、の間の第２の離間距離と、が同一になるように他の前記足場用パイプを接続する、
ことを特徴とする請求項１又は請求項２記載の足場用パイプ。
【請求項４】
前記接続部は、
接続部材を介して他の前記足場用パイプと接続し、
前記第２の離間距離は、
前記接続部材を介した距離である、
ことを特徴とする請求項３記載の足場用パイプ。
【請求項５】
前記本体部は、
前記金具に係合された前記被取付部材を他の前記足場用パイプの前記金具と係合することにより足場用の手摺又は足場用の根がらみとして使用可能である、
ことを特徴とする請求項１から請求項４の何れかに記載の足場用パイプ。
【発明の詳細な説明】
【技術分野】
【０００１】
本発明は、足場の枠組みを形成するための足場用パイプに関する。
【背景技術】
【０００２】
従来、手摺クランプ又はブラケットを足場用支柱に取り付ける場合には、毎回スケール等を使用して寸法を測って足場用支柱に目印を付けて、その目印を付けた位置に手摺クランプ又はブラケット等を取り付ける作業を実施している。しかしながら、この作業は、手摺クランプ又はブラケットを足場用支柱に取り付ける毎に行う必要があるため、大変面倒であるという課題を有している。
【０００３】
かかる課題を解決するために、特許文献１には、建地材に対する被取付部材の取付間隔と一致するように、建地材に複数の凸部を設ける仮設足場用建地材が開示されている。特許文献１によれば、毎回スケール等を使用して寸法を測って目印を付ける作業を不要にすることができるので、作業の効率化を図ることができる。
【先行技術文献】
【特許文献】
【０００４】
【特許文献１】特開平１０−１３１４７５号公報
【発明の概要】
【発明が解決しようとする課題】
【０００５】
しかしながら、特許文献１においては、隣り合う２つの凸部の間の間隔が各々異なると共に、建地材の長手方向の一方の端部とこの一方の端部に最も近い凸部との距離が、建地材の長手方向の他方の端部とこの他方の端部に最も近い凸部との距離と異なるため、建地材を組み立てる場合における建地材の向きに方向性を有し、足場の組み立て作業が面倒であるという課題を有する。
【０００６】
本発明の目的は、足場用パイプを組み立てる場合における足場用パイプの向きに方向性を無くすることにより、足場の組み立て作業を容易にすることができる足場用パイプを提供することである。
【課題を解決するための手段】
【０００７】
本発明に係る足場用パイプは、管状の本体部と、前記本体部の長手方向に沿って一定間隔で側方に突出して前記本体部に設けられ、被取付部材を係合可能にする複数の金具と、を有し、前記本体部の長手方向の一方の端部と、前記一方の端部に最も近い前記金具と、の距離は、前記本体部の長手方向の他方の端部と、前記他方の端部に最も近い前記金具と、の距離と同一である。
【０００８】
本体部の長手方向に沿って一定間隔で本体部に金具を設けると共に、本体部の長手方向の一方の端部と、その一方の端部に最も近い金具と、の距離を、本体部の長手方向の他方の端部と、その他方の端部に最も近い金具と、の距離と同一にすることにより、足場用パイプを組み立てる場合において足場用パイプの上下又は左右等の方向を意識することなく、足場用パイプを組み立てることができる。
【発明の効果】
【０００９】
本発明によれば、足場用パイプを組み立てる場合における足場用パイプの向きに方向性を無くすることにより、足場の組み立て作業を容易にすることができる。
【図面の簡単な説明】
【００１０】
【図１】本発明の実施形態に係る足場用パイプの正面図である。
【図２】図１のＡ−Ａ断面図である。
【図３】本発明の実施形態に係る足場用パイプにブラケットを取り付ける方法を示す図である。
【図４】本発明の実施形態における異なる種類の足場用パイプの正面図である。
【図５】本発明の実施形態に係る足場用パイプにクランプ、手摺及び作業床を取り付けた状態の正面図である。
【図６】本発明の実施形態に係る足場用パイプを組み合わせて支柱を形成する工程を示す図である。
【図７】本発明の実施形態に係る足場用パイプを根がらみとして使用した状態の正面図である。
【図８】本発明の実施形態に係る足場用パイプを手摺として使用した状態の正面図である。
【発明を実施するための形態】
【００１１】
以下、図面を適宜参照して、本発明の実施形態に係る足場用パイプにつき、詳細に説明する。
【００１２】
＜足場用パイプの構成＞
本発明の実施形態に係る足場用パイプ１の構成につき、図１から図４を参照しながら、以下詳細に説明する。
【００１３】
足場用パイプ１は、本体部２及び金具３を備えている。足場用パイプ１は、典型的にはブラケット一側足場に使用される。
【００１４】
本体部２は、長手方向の両端を外部に開放すると共に中空の管状であり、長手方向に沿って側方に突出する複数の金具３が設けられている。本体部２は、長手方向の一方の端部１１１と端部１１１に最も近い金具３ａとの間、及び、長手方向の他方の端部１１２と端部１１２に最も近い金具３ｂとの間の各々に、内壁から内方に突出する一対の接続突部４を有している。一対の接続突部４は、互いに対向して設けられている（図２参照）。本体部２は、本体部２を上下動可能にするジャッキ１０を端部１１２から挿入可能になっている。
【００１５】
本体部２は、図４に示すように、長手方向の異なる長さ毎に複数の種類が存在している。本体部２は、長手方向の異なる長さ毎に４種類存在し、長手方向の長さが最も長い図４（ａ）に示す種類についてはその長さが３５７０ｍｍであり、長手方向の長さが次に長い図４（ｂ）に示す種類についてはその長さが２６７０ｍｍであり、長手方向の長さが次に長い図４（ｃ）に示す種類についてはその長さが１７７０ｍｍであり、長手方向の長さが最も短い図４（ｄ）に示す種類についてはその長さが８７０ｍｍである。
【００１６】
金具３は、本体部２の長手方向に沿って一定間隔で本体部２に設けられている。隣り合う２つの金具３の間の距離、隣り合う金具３と金具３ａとの距離、及び、隣り合う金具３と金具３ｂとの距離は、全て同一の距離ｒ１である。本体部２の端部１１１と端部１１１に最も近い金具３ａとの距離ｒ２は、本体部２の端部１１２と端部１１２に最も近い金具３ｂとの距離ｒ３と同一である（ｒ２＝ｒ３）。金具３ａは、端部１１１と金具３ａとの間に設けられた接続部４に最も近い金具である。また、金具３ｂは、端部１１２と金具３ｂとの間に設けられた接続部４に最も近い金具である。金具３は、図３に示すように、被取付部材であるブラケット１１を取り付ける際の目安になっており、上端部にブラケット
１１を当接させることにより、ブラケット１１を取り付ける際に位置決めすることができる。また、金具３は、図３に示すように、被取付部材であるクランプ１２を取り付ける際の目安になっており、上端部にクランプ１２を当接させることにより、クランプ１２を取り付ける際に位置決めすることができる。
【００１７】
本体部２の長手方向の異なる長さ毎に複数種類の本体部２が存在する場合において、本体部２の端部１１１と金具３ａとの距離ｒ２と、本体部２の端部１１２と金具３ｂとの距離ｒ３とは、各種類の各々について全て同一距離である。具体的には、図４に示すように本体部２の長手方向の異なる長さ毎に４種類の本体部２が存在する場合において、本体部２の端部１１１と金具３ａとの距離ｒ２と、本体部２の端部１１２と金具３ｂとの距離ｒ３とは、各種類の各々について全て２１０ｍｍである。
【００１８】
また、本体部２の長手方向の異なる長さ毎に複数種類の本体部２が存在する場合において、隣り合う２つの金具３の間の距離ｒ１は、各種類の各々について全て同一距離である。具体的には、図４に示すように、本体部２の長手方向の異なる長さ毎に４種類が存在する場合において、隣り合う２つの金具３の間の距離ｒ１は、隣り合う金具３と金具３ａとの距離、及び、隣り合う金具３と金具３ｂとの距離は、各種類の各々について全て４２０ｍｍである。
【００１９】
上記構成を有する足場用パイプ１は、本体部２に金具３を溶接により固定して取り付けた後に、本体部２及び金具３の表面を金属メッキすることにより完成する。
【００２０】
＜足場用パイプの使用方法＞
本発明の実施形態に係る足場用パイプ１の使用方法につき、以下に詳細に説明する。
【００２１】
まず、足場用パイプ１を足場用支柱として使用する場合の使用方法について、図５及び図６を参照しながら、以下に詳細に説明する。
【００２２】
足場用パイプ１を足場用支柱として使用する場合には、図５に示すように、本体部２に対して、金具３を目印として、金具３の上端にクランプ１２を当接させた状態でクランプ１２を取り付け、続けてクランプ１２に手摺１３や作業床１４を取り付ける。各足場用パイプ１の本体部２に設けられている隣り合う２つの金具３の間の距離は、隣り合う金具３と金具３ａとの距離、及び、隣り合う金具３と金具３ｂとの距離は、全て同一であるので、毎回スケール等を使用して寸法を測って足場用支柱に目印を付けなくても、手摺１３や作業床１４を傾くことなく水平状態で各足場用パイプ１に取り付けることができる。
【００２３】
また、各足場用パイプ１は、足場用パイプ１を設置する地面等の凹凸により、互いに上下方向に多少ズレを生じることもあるが、この場合にはジャッキ１０により本体部２の上下方向の高さを調整することができる。
【００２４】
足場用パイプ１を足場用支柱として使用する場合において、足場用パイプ１を繋ぎ合せる場合には、図６に示すように、繋ぎ合せる互いの本体部２の接続突部４に接続部材であるジョイント５を取り付け、ジョイント５を介して足場用パイプ１を互いに固定する。繋ぎ合せる一方の足場用パイプ１とジョイント５とは、ジョイント５の長手方向の一端に形成された逆Ｌ字溝５１に接続突部４を係合し、逆Ｌ字溝５１に接続突部４を係合した状態でジョイント５を逆Ｌ字溝５１に沿って下方にスライドさせた後に上方から見て反時計回りに回転させることにより接続する。同様に、繋ぎ合せる他方の足場用パイプ１とジョイント５とは、ジョイント５の長手方向の他端に形成されたＬ字溝５２に接続突部４を係合し、Ｌ字溝５２に接続突部４を係合した状態で他方の足場用パイプ１をＬ字溝５２に沿って下方にスライドさせた後に上方から見て反時計回りに回転させることにより接続する。
【００２５】
このようにジョイント５により繋ぎ合せた足場用パイプ１において、隣り合う２つの金具３の間の距離ｒ１（第１の離間距離）、隣り合う金具３と金具３ａとの距離ｒ１（第１の離間距離）、及び、隣り合う金具３と金具３ｂとの距離ｒ１（第１の離間距離）は、図６に示すように、繋ぎ合せた一方の足場用パイプ１における接続部４に最も近い金具３ａと、繋ぎ合せた他方の足場用パイプ１における接続部４に最も近い金具３ｂと、のジョイント５を介した距離（第２の離間距離）と同一である。具体的には、距離ｒ１は、本体部２の端部１１１と端部１１１に最も近い金具３ａとの距離ｒ２と、本体部２の端部１１２と端部１１２に最も近い金具３ｂとの距離ｒ３と、ジョイント５の長手方向における露出する部分の距離ｒ５と、を加算した距離と同一になる。即ち、ｒ１＝（ｒ２＋ｒ３＋ｒ５）となる。これにより、足場用パイプ１を繋ぎ合せた場合であっても、隣り合う金具３の間の距離、隣り合う金具３と金具３ａとの距離、隣り合う金具３と金具３ｂとの距離、及び、隣り合う金具３ａと金具３ｂとの距離を、全て同一にすることができる。
【００２６】
次に、足場用パイプ１を根がらみとして使用する場合について、図７を参照しながら、以下に詳細に説明する。
【００２７】
支柱として使用する足場用パイプ１の本体部２の金具３と当接する位置にクランプ１５を取り付ける。また、このクランプ１５を、根がらみとして使用する足場用パイプ１の本体部２の金具３と当接する位置に取り付ける。これにより、支柱として使用する足場用パイプ１に根がらみとして使用する足場用パイプ１を固定することができる。
【００２８】
次に、足場用パイプ１を手摺として使用する場合について、図８を参照しながら、以下に詳細に説明する。
【００２９】
支柱として使用する足場用パイプ１の本体部２の金具３と当接する位置にクランプ１６を取り付ける。また、このクランプ１６を、手摺として使用する足場用パイプ１の本体部２の金具３と当接する位置に取り付ける。これにより、支柱として使用する足場用パイプ１に手摺として使用する足場用パイプ１を固定することができる。
【００３０】
このように、本実施形態によれば、管状の本体部２と、本体部２の長手方向に沿って一定間隔で側方に突出して本体部２に設けられ、被取付部材を係合可能にする複数の金具３と、を有し、本体部２の長手方向の一方の端部と、その一方の端部に最も近い金具３と、の距離ｒ２は、本体部２の長手方向の他方の端部と、その他方の端部に最も近い金具３と、の距離ｒ３と同一であることにより、足場用パイプを組み立てる場合における足場用パイプの向きに方向性を無くすることにより、足場の組み立て作業を容易にすることができる。
【００３１】
また、本実施形態によれば、本体部２は、長手方向における異なる長さ毎に複数の種類が存在することにより、異なる長さの本体部を繋ぎ合せて足場を形成する場合であっても、方向性を無くすることができる。
【００３２】
また、本実施形態によれば、本体部２は、端部１１１と端部１１１に最も近い金具３ａとの間、又は端部１１２と端部１１２に最も近い金具３ｂとの間に、他の足場用パイプ１と接続するための接続部４を有し、接続部４は、隣り合う２つの金具３の間の距離ｒ１と、接続部４に最も近い金具３ａと、他の足場用パイプ１における接続部４に最も近い金具３ｂと、の間の距離（ｒ２＋ｒ３＋ｒ５）と、が同一になるように他の足場用パイプ１を接続することにより、本体部を繋ぎ合せて足場を形成する場合であっても、方向性を無くすることができると共に、毎回スケール等を使用して寸法を測って目印を付ける作業を不要にすることができるので、足場の組み立て作業を容易にすることができる。
【００３３】
また、本実施形態によれば、接続部４は、ジョイント５を介して他の足場用パイプ１と接続し、接続部４に最も近い金具３ａと、他の足場用パイプ１における接続部４に最も近い金具３ｂと、の間の距離は、ジョイント５を介した距離であることにより、ジョイントを介して足場用パイプを接続する場合であっても、方向性を無くすることができると共に、毎回スケール等を使用して寸法を測って目印を付ける作業を不要にすることができるので、足場の組み立て作業を容易にすることができる。
【００３４】
また、本実施形態によれば、本体部２は、金具３に係合された被取付部材を他の足場用パイプ１の金具３と係合することにより足場用の手摺又は足場用の根がらみとして使用可能であることにより、足場用の手摺又は根がらみとして使用する場合において、毎回スケール等を使用して寸法を測って目印を付ける作業を不要にすることができると共に、方向性を無くすることができるので、足場の組み立て作業を容易にすることができる。
【００３５】
また、本実施形態によれば、足場用パイプ１を、足場用支柱、手摺又は根がらみとして使用できることにより多機能にすることができる。
【００３６】
また、本実施形態によれば、足場用パイプ１を足場用の支柱として使用する場合に、ジャッキ１０により本体部２を上下に移動可能にすることにより、金具３にクランプ又はブラケットを取り付けて足場を組み立てる際の高さ調整をすることができる。
【００３７】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００３８】
例えば、本実施形態において、足場用パイプ１を根がらみ又は手摺として使用する場合に、支柱として使用する足場用パイプ１にクランプを介して固定したが、金具３を設けていない従来の足場用パイプに対して、根がらみ又は手摺として使用する足場用パイプ１を取り付けてもよい。
【００３９】
また、本実施形態において、ジョイントにより足場用パイプを繋ぎ合せたが、足場用パイプの本体部の長手方向の一方の端部に接続凹部を設け、本体部の長手方向の他方の端部に接続突部を設けることにより、接続凹部と接続突部とを嵌合して、ジョイントを用いずに本体部を直接繋ぎ合せてもよい。この場合、本体部の長手方向の端部と、この端部に最も近い金具との距離を、隣り合う２つの金具の間の距離の２分の１にすることにより、本体部を繋ぎ合せた場合において全ての隣り合う２つの金具の間の距離を同一にすることができる。
【００４０】
また、本実施形態において、金具３を正面から見て矩形状に形成したが、本体部２から突出していれば三角形状等の任意の形状にすることができる。
【００４１】
また、本実施形態において、本体部２の同一高さの外周上に金具３を１つ設けたが、本体部２の同一高さの外周上に金具を一対等の複数設けることができる。
【００４２】
また、本実施形態において、本体部２を異なる長さの４種類にしたが、本体部２を異なる長さの４種類以外の複数種類にすることができる。
【産業上の利用可能性】
【００４３】
本発明に係る足場用パイプは、足場の枠組みを形成するのに好適である。
【符号の説明】
【００４４】
１  足場用パイプ
２  本体部
３  金具
３ａ  金具
３ｂ  金具
４  接続突部
５  ジョイント
１０  ジャッキ
１１  ブラケット
１２  クランプ
１３  手摺
１４  作業床
１５  クランプ
１６  クランプ
５１  逆Ｌ字溝
５２  Ｌ字溝
【図１】
2016029232.tif 000003
【図２】
2016029232.tif 000004
【図３】
2016029232.tif 000005
【図４】
2016029232.tif 000006
【図５】
2016029232.tif 000007
【図６】
2016029232.tif 000008
【図７】
2016029232.tif 000009
【図８】
2016029232.tif 000010